(57)【要約】【課題】食事に用いるための食器を不足なく作成でき、且つ、保管性に優れた食器セット作成用シートを提供する。【解決手段】食器セット作成用シート１は、容器部分１０と器具部分２０とを備える。容器部分１０及び器具部分２０の外縁のそれぞれには、容器部分１０及び器具部分２０のそれぞれを食器セット作成用シート１から切り取ることができる切り取り線１３，３３，４３が形成されている。容器部分１０は、容器の底部を形成するための底部相当部１１と、容器の縁部を形成するための縁部相当部１２とを備える。底部相当部１１と縁部相当部１２との境界部には、境界部を折り曲げやすくするための折り目１５が設けられている。【選択図】図１
0003235456.tif 000002
【実用新案登録請求の範囲】
【請求項１】
折り曲げ可能な材質のシート体に、
食事に使う容器を少なくとも一つ作成するための容器部分と、
食事に使う器具を少なくとも一種類作成するための器具部分と
を備え、
前記容器部分の外縁及び前記器具部分の外縁のそれぞれには、前記容器部分及び前記器具部分のそれぞれを前記シート体から切り取ることができる切り取り線が形成されており、
前記容器部分は、
前記容器の底部を形成するための底部相当部と、
前記底部相当部の外側に隣接して前記容器の縁部を形成するための縁部相当部とを備え、
少なくとも前記底部相当部と前記縁部相当部との境界部に、折り目が形成されている
ことを特徴とする食器セット作成用シート。
【請求項２】
前記シート体は、生分解性を有する材料で構成されることを特徴とする請求項１に記載の食器セット作成用シート。
【請求項３】
前記器具部分は、スプーン、フォーク、箸のうち少なくともいずれかを作成するための部分であることを特徴とする請求項１又は２に記載の食器セット作成用シート。
【請求項４】
前記シート体は、紙製であることを特徴とする請求項１から３のいずれかに記載の食器セット作成用シート。
【請求項５】
前記シート体の表面には、耐水性及び耐油性が付与されていることを特徴とする請求項４に記載の食器セット作成用シート。
【請求項６】
前記切り取り線及び前記折り目は、前記シート体に対する型抜き加工によって一度に設けられることを特徴とする請求項１から５のいずれかに記載の食器セット作成用シート。
【考案の詳細な説明】
【技術分野】
【０００１】
本考案は、食器セット作成用シートに関する。
【背景技術】
【０００２】
従来、紙等のシートを折り曲げて形成される食器が知られている。特許文献１は、厚紙を所定の形状に裁断して所要の折り目線を刻設し、この折り目線を基準に折り曲げることによって容器状に立体化する食器用ブランクを開示する。
【先行技術文献】
【特許文献】
【０００３】
【特許文献１】特許第３５１２３９５号公報
【考案の概要】
【考案が解決しようとする課題】
【０００４】
食事をする際には、食器として、食事に用いるための容器に加えて、スプーン、フォーク等の食事に用いるための器具が必要である。上記の技術では、食事に用いるための容器が提供されるまでであり、食事に用いるための器具が準備されていない場合には食事をするのに不十分であるといった問題がある。また、食事に用いるための容器に加えて、食事に用いるための器具を別途保管しておく必要があるといった問題もある。
【０００５】
本考案は、食事に用いるための食器を不足なく作成でき、且つ、保管性に優れた食器セット作成用シートを提供することを目的とする。
【課題を解決するための手段】
【０００６】
本考案に係る食器セット作成用シートは、折り曲げ可能な材質のシート体に、食事に使う容器を少なくとも一つ作成するための容器部分と、食事に使う器具を少なくとも一種類作成するための器具部分とを備え、前記容器部分の外縁及び前記器具部分の外縁のそれぞれには、前記容器部分及び前記器具部分のそれぞれを前記シート体から切り取ることができる切り取り線が形成されており、前記容器部分は、前記容器の底部を形成するための底部相当部と、前記底部相当部の外側に隣接して前記容器の縁部を形成するための縁部相当部とを備え、少なくとも前記底部相当部と前記縁部相当部との境界部に、折り目が形成されていることを特徴とする。
【０００７】
本考案に係る食器セット作成用シートは、容器部分と器具部分とを備える。使用者は、容器部分と器具部分のそれぞれを、切り取り線においてシート体から切り取ることができる。使用者は、容器部分に形成されている折り目において底部相当部と縁部相当部との境界部を折り曲げることによって、底部と縁部とを備える容器を作成することができる。また、本考案に係る食器セット作成用シートは、一枚のシート体によって構成される。よって、例えば、複数の食器セット作成用シートを保管する場合でも、それぞれの食器セット作成用シートを重ね、まとめてコンパクトに保管することができる。したがって、本考案に係る食器セット作成用シートは、保管性に優れるとともに、食事に用いるための食器を不足なく使用者に作成させることができる。
【０００８】
前記シート体は、生分解性を有する材料で構成されてもよい。
【０００９】
シート体は、生分解性を有する材料で構成される。このため、容器部分と器具部分とを切り取った後のシート体の残余部分の処分及び食器として使用した後の容器部分と器具部分との処分の際の環境負荷が低減される。
【００１０】
前記器具部分は、スプーン、フォーク、箸のうち少なくともいずれかを作成するための部分であってもよい。
【００１１】
食器セット作成用シートは、スプーン、フォーク、箸のいずれかと、容器とを、使用者に提供できる。したがって、食器セット作成シートを保有する使用者は、すぐに食事をすることができる。
【００１２】
前記シート体は、紙製であってもよい。
【００１３】
シート体は紙製であるので、軽量である。また、複数のシート体を保管する場合にもかさ張らない。また、使用者は、容器部分と器具部分とを切り取った後のシート体の残余部分及び食器として使用した後の容器部分と器具部分とを、再生紙の材料等に再利用することもできる。
【００１４】
前記シート体の表面には、耐水性及び耐油性が付与されていてもよい。
【００１５】
この場合、容器に盛った食事が漏れにくくなる。また、器具にも耐水性及び耐油性が付与されるので、器具の使い勝手が向上する。
【００１６】
前記切り取り線及び前記折り目は、前記シート体に対する型抜き加工によって一度に設けられてもよい。
【００１７】
この場合、切り取り線及び折り目がシート体に対して一度に設けられるので、食器セット作成シートの生産性が向上する。
【図面の簡単な説明】
【００１８】
【図１】食器セット作成用シート１の平面図である。
【図２】食器セット作成用シート１から切り取った容器部分１０、フォーク部分３０及びスプーン部分４０によって食器セットが形成された例を示す説明図である。
【図３】食器セット作成用シート１００の平面図である。
【考案を実施するための形態】
【００１９】
以下、本考案に係る食器セット作成用シート１について説明する。参照する図面は、本考案が採用しうる技術的特徴を説明するために用いられるものであり、記載される構成等は、それのみに限定する趣旨ではなく、単なる説明例である。以下の説明では、図中に矢印で示す左右、前後、上下を使用する。
【００２０】
図１を参照して、食器セット作成用シート１の構成を説明する。食器セット作成用シート１は、食器を作成するためのシート体である。食器セット作成用シート１を用いて作成できる食器には、食事に使う容器、すなわち、食べ物を載せる容器と、食事に使う器具、すなわち、容器に載せられた食べ物を口に運ぶための器具との双方が含まれる。食器セット作成用シート１は、折り曲げ可能な材質のシート体である。また、食器セット作成用シート１は、生分解性を有する材料で構成されている。本実施形態において、食器セット作成用シート１は、Ａ４サイズである。食器セット作成用シート１は、厚みが０．３６ミリメートルの紙製である。食器セット作成用シート１の上面及び下面には、食品衛生法における食品、添加物等の規格基準を満たす薬品が塗布されることによって、耐水性及び耐油性が付与されている。
【００２１】
食器セット作成用シート１は、容器部分１０と器具部分２０とを備える。容器部分１０は、食器のうち食事に使う容器を作成するための部分である。容器部分１０は、一辺の長さが食器セット作成用シート１の左右の幅よりもやや短い、略正方形状である。容器部分１０の外縁には、容器部分１０を食器セット作成用シート１から切り取ることができる切り取り線１３が設けられている。切り取り線１３は、容器部分１０を食器セット作成用シート１から切り離しやすいように、食器セット作成用シート１に対して切れ目が連続的に設けられることによって設けられている。すなわち、切り取り線１３は、いわゆるミシン目である。容器部分１０の四つの角は丸められている。このため、使用者が容器部分１０を切り取り線１３において食器セット作成用シート１から切り取る際、又は容器部分１０を食器セット作成用シート１から切り取った後等に、容器部分１０の角で手指等を負傷することが抑制される。
【００２２】
容器部分１０は、底部相当部１１と縁部相当部１２とを備える。底部相当部１１は、食事に使う容器の底部、すなわち容器の底面を形成するための部分である。本実施形態において、底部相当部１１は、容器部分１０の中央部の略正方形状の領域である。縁部相当部１２は、底部相当部１１の外側に隣接する領域である。縁部相当部１２は、食事に使う容器の縁部、すなわち容器の側面を形成するための部分である。
【００２３】
底部相当部１１と縁部相当部１２との境界部には、折り目１５が設けられている。折り目１５は、底部相当部１１と縁部相当部１２との境界部を折り曲げやすくするために設けられている。本実施形態において、折り目１５は、食器セット作成用シート１の上面に対して凹状又は凸状に設けられる折り筋である。この他、折り目１５は、食器セット作成用シート１の上面がハーフカットされること等によって設けられてもよい。本実施形態では、底部相当部１１と縁部相当部１２との境界部に加えて、底部相当部１１の四つの角部のそれぞれから容器部分１０の四つの角部の所定の位置に向けて、縁部相当部１２を横断するように複数の折り目１５が設けられている。折り目１５は、容器部分１０を折り曲げて容器の形状を作りやすくする箇所に、適宜設けられてよい。
【００２４】
器具部分２０は、食器のうち食事に使う器具を作成するための部分である。食事に使う器具とは、フォーク、スプーン、箸等である。本実施形態では、器具部分２０は、フォークを作成するためのフォーク部分３０及びスプーンを作成するためのスプーン部分４０を備える。フォーク部分３０の外縁には、フォーク部分３０を食器セット作成用シート１から切り取ることができる切り取り線３３が設けられている。フォーク部分３０におけるフォークの柄に相当する部分の中央部には、長手方向に沿って折り目３５が設けられている。折り目３５は、フォークのすくい根に相当する部分にも適宜設けられている。スプーン部分４０の外縁には、スプーン部分４０を食器セット作成用シート１から切り取ることができる切り取り線４３が設けられている。スプーン部分４０におけるスプーンの柄に相当する部分の中央部には、長手方向に沿って折り目４５が設けられている。折り目４５は、スプーンのつぼに相当する部分にも適宜設けられている。切り取り線３３，４３は、切り取り線１３と同様に、フォーク部分３０及びスプーン部分４０のそれぞれを食器セット作成用シート１から切り離しやすいように、食器セット作成用シート１に対して切れ目が連続的に設けられることによって設けられている。折り目３５，４５は、折り目１５と同様に、折り目３５，４５においてフォーク部分３０及びスプーン部分４０を折り曲げやすくするために設けられている。
【００２５】
切り取り線１３，３３，４３及び折り目１５，３５，４５のそれぞれは、トムソン加工と呼ばれる型抜き加工によって、食器セット作成用シート１に対して一度に設けられる。これにより、切り取り線１３，３３，４３を設ける工程と、折り目１５，３５，４５を設ける工程とを別々に設ける必要がないので、食器セット作成用シート１の生産性が向上する。なお、食器セット作成用シート１において、フォーク部分３０におけるフォークの柄に相当する部分とスプーン部分４０のうちスプーンの柄に相当する部分とが、互い違いになるように配置されているので、食器セット作成用シート１の材料の無駄が削減される。
【００２６】
使用者は、食器セット作成用シート１から食器セットを作成する場合、切り取り線１３において容器部分１０を食器セット作成用シート１から切り取る。使用者は、切り取った容器部分１０の縁部相当部１２が底部相当部１１の縁から立ち上がるように、折り目１５に沿って谷折りする。使用者は、縁部相当部１２の四つの角部のそれぞれに設けられている折り目１５に沿って、縁部相当部１２の四つの角部のそれぞれを畳むように折ることで、縁部相当部１２が底部相当部１１の縁から、より立ち上がりやすくなる。このようにして、使用者は、図２に示すように、容器部分１０を食事に使う容器の形状に立体的に形成することができる。
【００２７】
また、使用者は、切り取り線３３においてフォーク部分３０を食器セット作成用シート１から切り取る。使用者は、切り取ったフォーク部分３０におけるフォークの柄に相当する部分の中央部を、折り目３５に沿って谷折りする。使用者は、フォークのすくい根に相当する部分の折り目３５も軽く谷折りする。このようにして、使用者は、図２に示すように、フォーク部分３０を食事に使うフォークの形状に立体的に形成することができる。使用者は、スプーン部分４０についても同様に、食器セット作成用シート１から切り取って、切り取ったスプーン部分４０におけるスプーンの柄に相当する部分の中央部を、折り目４５に沿って谷折りする。使用者は、スプーンのつぼに相当する部分の折り目４５も軽く谷折りする。このようにして、使用者は、図２に示すように、スプーン部分４０を食事に使うスプーンの形状に立体的に形成することができる。
【００２８】
このように、食器セット作成用シート１は、食事に使う容器と食事に使う器具との双方を使用者に作成させて、食事をするために必要な食器セットを不足なく提供できる。したがって、使用者は、食事と食器セット作成用シート１とを準備することによって、すぐに食事をすることができる。また、食器セット作成用シート１は、食事に使う容器及び器具を、使用者が使用しやすい立体的な形状のものとして提供できる。食器セット作成用シート１の表面には、耐水性及び耐油性が付与されているので、容器の形状に形成した容器部分１０に汁物等を盛りつけた場合にも、盛り付けた食事の水分及び油分が容器部分１０から漏れたり、容器部分１０を透過したりすることが防止される。また、表面に耐水性及び耐油性が付与されていることによって、フォーク及びスプーンの形状に形成した器具部分２０を汁物等の食事に使っても、一定の耐久性が保たれる。また、表面に耐水性及び耐油性が付与されているので、使用者は、食事に使用した後の容器部分１０及び器具部分２０を、洗って再利用することもできる。
【００２９】
食器セット作成用シート１は、このような立体的な食器セットを一枚のシート体から作成することができる。食器セットを使用する前には、食器セット作成用シート１をシート体の状態で保管することができる。食器セット作成用シート１が複数枚ある場合には、それぞれを重ね合わせることができる。例えば、１００枚単位で重ね合わせた食器セット作成用シート１は、一般的な書籍と同様の大きさ及び重量になる。つまり、使用者は、一冊の書籍を保管するために必要な保管場所を本棚等に準備することによって、１００食分の食器セットを保管することができる。このように、食器セット作成用シート１は、複数の食器セットを、非常にコンパクト且つ軽量に保管することができる。したがって、災害時等に対して大量の食器セットを備蓄しようとする場合においても、食器セットの保管場所の捻出が容易となる。
【００３０】
食器セット作成用シート１は複数まとめてもコンパクトであるので、複数の食器セット作成用シート１を持ち出すことも容易である。使用者は、複数の食器セット作成用シート１を持ち出すことによって、現場で複数の食器セットを提供することができる。食器セット作成用シート１は、生分解性を有する材料で構成されている。したがって、食器セット作成用シート１のうち容器部分１０及び器具部分２０を切り取った残りの部分及び食器セットとして使用した後の容器部分１０及び器具部分２０の処分に関する環境負荷が低減される。本実施形態では、食器セット作成用シート１は紙製である。このため、食器セット作成用シート１のうち容器部分１０及び器具部分２０を切り取った残りの部分及び食器セットとして使用した後の容器部分１０及び器具部分２０を回収し、再生紙の材料等に再利用することもできる。また、例えば、屋外の現場であれば、使用済みの容器部分１０及び器具部分２０等を現場で焼却処分することも可能である。
【００３１】
以上説明したように、食器セット作成用シート１は、容器部分１０と器具部分２０とを備える。使用者は、容器部分１０と器具部分２０のそれぞれを、切り取り線１３，３３，４３において食器セット作成用シート１から切り取ることができる。使用者は、容器部分１０に形成されている折り目１５において底部相当部１１と縁部相当部１２との境界部を折り曲げることによって、底部と縁部とを備えて所定の深さを有する容器を作成することができる。また、食器セット作成用シート１は、一枚のシート体によって構成される。よって、複数の食器セット作成用シート１を保管する場合でも、それぞれの食器セット作成用シート１を重ね、まとめてコンパクトに保管することができる。したがって、食器セット作成用シート１は、保管性に優れるとともに、食事に用いるための食器を不足なく使用者に作成させることができる。
【００３２】
食器セット作成用シート１は、生分解性を有する材料で構成される。このため、食器セット作成用シート１のうち容器部分１０と器具部分２０とを切り取った残りの部分及び食器セットとして使用した後の容器部分１０と器具部分２０との処分の際の環境負荷が低減される。
【００３３】
器具部分２０は、フォークを作成するためのフォーク部分３０及びスプーンを作成するためのスプーン部分４０を備える。よって、食器セット作成用シート１は、食事に使う容器に加えて、食事に使うフォーク及びスプーンを提供できる。したがって、食器セット作成用シート１を保有する使用者は、食事を準備すれば、すぐに食事をすることができる。
【００３４】
食器セット作成用シート１は、紙製であるので、軽量である。また、複数の食器セット作成用シート１を保管する場合にもかさ張らない。また、使用者は、食器セット作成用シート１のうち容器部分１０と器具部分２０とを切り取った残りの部分及び食器セットとして使用した後の容器部分１０と器具部分２０とを、再生紙の材料等に再利用することもできる。
【００３５】
食器セット作成用シート１の表面には、耐水性及び耐油性が付与されているので、容器の形状に形成した容器部分１０に盛った食事が漏れにくい。また、器具部分２０にも耐水性及び耐油性が付与されるので、食事に使用する器具の使い勝手が向上する。
【００３６】
型抜き加工時において、食器セット作成用シート１に対して切り取り線１３，３３，４３及び折り目１５，３５，４５のそれぞれが一度に設けられるので、食器セット作成用シート１の生産性が向上する。
【００３７】
なお、本考案は上記実施形態に限定されるものではなく、本考案の要旨を逸脱しない範囲内で種々の変更が可能である。例えば、食器セット作成用シート１に対して切り取り線１３，３３，４３及び折り目１５，３５，４５形成する手法には、トムソン加工に限られず、様々な手法が用いられてもよい。
【００３８】
食器セット作成用シート１の上面だけに耐水性及び耐油性が付与され、下面には付与されなくてもよい。この場合であっても、容器部分１０によって形成された容器に盛りつけた食べ物が容器から漏れることが防止される。また、食器セット作成用シート１に対する耐水性及び耐油性の付与は、食器セット作成用シート１の表面に所定のコーティングが施されることによって行われてもよい。
【００３９】
食器セット作成用シート１は、紙製である他、折り曲げ可能な合成樹脂製のシート体等で構成されてもよい。食器セット作成用シート１に用いられる合成樹脂製のシート体が生分解性を有した材料であると、なお好ましい。この他、食器セット作成用シート１は、非木材パルプを用いたシート体等で構成されてもよい。
【００４０】
容器部分１０によって形成される容器に所定の深さを設けるため、折り目１５は、容器部分１０において底部相当部１１と縁部相当部１２との境界部に少なくとも設けられていればよい。容器部分１０によって形成される容器の形状に応じて、底部相当部１１及び縁部相当部１２に対して折り目１５が設けられてもよいし、設けられなくてもよい。
【００４１】
図３を参照して、変形例の食器セット作成用シート１００について説明する。食器セット作成用シート１００は、食器セット作成用シート１と同様の、Ａ４サイズの紙製である。食器セット作成用シート１００は、容器部分５０と器具部分９０とを備える。容器部分５０は、二つの小容器部分６０，６０を備える。小容器部分６０は、左右方向の長さが容器部分５０の左右方向の長さと同様であり、前後方向の長さが容器部分５０の前後方向の長さ半分程度である。二つの小容器部分６０，６０のそれぞれの外縁には、小容器部分６０を食器セット作成用シート１００から切り取ることができる切り取り線６３が設けられている。小容器部分６０，６０のそれぞれは、底部相当部６１及び縁部相当部６２を備える。本変形例において、底部相当部６１は、容器部分６０の中央部の横長の略長方形状の領域である。縁部相当部６２は、底部相当部６１の外側に隣接する領域である。底部相当部６１と縁部相当部６２との境界部には、折り目６５が設けられている。折り目６５は、底部相当部６１の四つの角部のそれぞれから小容器部分６０の四つの角部の所定の位置に向けて、縁部相当部６２を横断するようにも設けられている。このため、使用者は、食器セット作成用シート１００から小容器部分６０，６０のそれぞれを切り取り、小容器部分６０，６０のそれぞれを折り目６５において適宜折り曲げることによって、二つの小容器を作成することができる。このように、食事に使う容器が複数作成されるように、食器セット作成用シート１００が構成されていてもよい。また、複数作成される容器のそれぞれの形状、大きさ等が異なるものであってもよい。
【００４２】
器具部分９０は、箸を作成するための一対の箸部分８０，８０及びスプーンを作成するためのスプーン部分４０を備える。スプーン部分４０については、食器セット作成用シート１におけるスプーン部分４０と共通するため、説明を省略する。箸部分８０は、角が丸められた細長い略三角形状である。一対の箸部分８０，８０は、細長い略三角形状が互い違いになるように配置されているので、食器セット作成用シート１００の材料の無駄が削減される。箸部分８０の外縁には、箸部分８０を食器セット作成用シート１００から切り取ることができる切り取り線８３が設けられている。箸部分８０の中央部には、長手方向に沿って折り目８５が設けられている。図示を省略するが、使用者は、食器セット作成用シート１００から一対の箸部分８０，８０のそれぞれを切り取り、一対の箸部分８０，８０のそれぞれを折り目８５において適宜折り曲げることによって、立体的な一対の箸を作成することができる。
【００４３】
例えば、一対の箸部分８０，８０に折り目８５が設けらなくてもよい。箸部分８０のそれぞれの細長い略三角形状を長手方向に沿って丸めることによって、立体的な箸が作成されてもよい。すなわち、器具部分２０，９０には、折り目３５，４５，８５が設けられなくてもよい。器具部分２０によって形成される食事に使う器具の種類、大きさ、形状等によっては、折り目３５，４５，８５において折り曲げて器具が形成されていなくても、十分に使い勝手が良いためである。なお、器具部分２０，９０は、食器のうち食事に使う器具を一種類だけ作成するために設けられてもよい。
【符号の説明】
【００４４】
１，１００    食器セット作成シート
１０，５０    容器部分
１１，６１    底部相当部
１２，６２    縁部相当部
１３，３３，４３，６３，８３    切り取り線
１５，３５，４５，６５，８５    折り目
２０，９０    器具部分
【図１】
0003235456.tif 000003
【図２】
0003235456.tif 000004
【図３】
0003235456.tif 000005